【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
以下一般式（１）で表される第一構造単位を有し、酸価が７０〜３００ｍｇＫＯＨ／ｇであり、二重結合当量が１００〜５００ｇ／ｍｏｌであるポリマーを含む、感光性樹脂組成物であって、
前記第一構造単位は、ＲＤが２以上の重合性炭素−炭素二重結合を含む基である構造単位を含み、
前記ポリマーは、さらに、以下一般式（ＮＢ）で表される環状炭化水素骨格を有する構造単位をポリマー中３０〜７０ｍｏｌ％含み、
前記ポリマーは、以下（Ｉ）または（ＩＩ）に該当する、感光性樹脂組成物。
（Ｉ）（ｉ）前記第一構造単位と、（ｉｉ）以下一般式（ＮＢ）で表される環状炭化水素骨格を有する構造単位と、のみを含む。
（ＩＩ）（ｉ）前記第一構造単位と、（ｉｉ）以下一般式（ＮＢ）で表される環状炭化水素骨格を有する構造単位と、（ｉｉｉ）以下式（ＭＡ）、下記一般式（ａ２−１）、（ａ２−２）および（ａ２−３）からなる群より選ばれる少なくともいずれかの構造単位と、のみを含む。
【化１】
2021120741.tif 000001
一般式（１）中、ＲＤは、重合性炭素−炭素二重結合を含む基である。
【化２】
2021120741.tif 000002
一般式（ＮＢ）中、
Ｒ１、Ｒ２、Ｒ３およびＲ４は、それぞれ独立して、水素原子または炭素数１〜３０の有機基であり、
ａ１は０、１または２である。
【化３】
2021120741.tif 000003
【化４】
2021120741.tif 000004
一般式（ａ２−１）および一般式（ａ２−２）中、Ｒ１４、Ｒ１５およびＲ１６は、それぞれ独立して炭素数１〜３０の有機基である。
【請求項２】
請求項１に記載の感光性樹脂組成物であって、
前記第一構造単位は、ＲＤが２以上の重合性炭素−炭素二重結合を含む基である構造単位と、ＲＤが１のみの重合性炭素−炭素二重結合を含む基である構造単位とを含む、感光性樹脂組成物。
【請求項３】
請求項１または２に記載の感光性樹脂組成物であって、
前記ポリマーの全構造単位中の前記第一構造単位の比率が、１０〜４０ｍｏｌ％である、感光性樹脂組成物。
【請求項４】
請求項１〜３のいずれか１項に記載の感光性樹脂組成物であって、
前記ポリマーの重量平均分子量が、６，０００〜２５，０００である、感光性樹脂組成物。
【請求項５】
請求項１〜４のいずれか１項に記載の感光性樹脂組成物であって、
さらに着色剤を含む感光性樹脂組成物。
【請求項６】
請求項１〜４のいずれか１項に記載の感光性樹脂組成物であって、
さらに遮光剤を含む感光性樹脂組成物。
【請求項７】
以下一般式（１）で表される第一構造単位を有し、酸価が７０〜３００ｍｇＫＯＨ／ｇであり、二重結合当量が１００〜５００ｇ／ｍｏｌであるポリマーであって、
前記第一構造単位は、ＲＤが２以上の重合性炭素−炭素二重結合を含む基である構造単位を含み、
さらに、以下一般式（ＮＢ）で表される環状炭化水素骨格を有する構造単位を３０〜７０ｍｏｌ％含み、
以下（Ｉ）または（ＩＩ）に該当するポリマー。
（Ｉ）（ｉ）前記第一構造単位と、（ｉｉ）以下一般式（ＮＢ）で表される環状炭化水素骨格を有する構造単位と、のみを含む。
（ＩＩ）（ｉ）前記第一構造単位と、（ｉｉ）以下一般式（ＮＢ）で表される環状炭化水素骨格を有する構造単位と、（ｉｉｉ）以下式（ＭＡ）、下記一般式（ａ２−１）、（ａ２−２）および（ａ２−３）からなる群より選ばれる少なくともいずれかの構造単位と、のみを含む。
【化５】
2021120741.tif 000005
一般式（１）中、ＲＤは、重合性炭素−炭素二重結合を含む基である。
【化６】
2021120741.tif 000006
一般式（ＮＢ）中、
Ｒ１、Ｒ２、Ｒ３およびＲ４は、それぞれ独立して、水素原子または炭素数１〜３０の有機基であり、
ａ１は０、１または２である。
【化７】
2021120741.tif 000007
【化８】
2021120741.tif 000008
一般式（ａ２−１）および一般式（ａ２−２）中、Ｒ１４、Ｒ１５およびＲ１６は、それぞれ独立して炭素数１〜３０の有機基である。
【請求項８】
請求項７に記載のポリマーであって、
前記第一構造単位は、ＲＤが２以上の重合性炭素−炭素二重結合を含む基である構造単位と、ＲＤが１のみの重合性炭素−炭素二重結合を含む基である構造単位とを含むポリマー。
【請求項９】
請求項７または８に記載のポリマーであって、
全構造単位中の前記第一構造単位の比率が、１０〜４０ｍｏｌ％であるポリマー。
【請求項１０】
請求項７〜９のいずれか１項に記載のポリマーであって、
重量平均分子量が、６，０００〜２５，０００であるポリマー。
【請求項１１】
請求項１〜６のいずれか１項に記載の感光性樹脂組成物を用いて得られるパターン。
【請求項１２】
請求項５に記載の感光性樹脂組成物を用いて得られるカラーフィルタ。
【請求項１３】
請求項１２に記載のカラーフィルタを備える表示装置。
【請求項１４】
請求項１２に記載のカラーフィルタを備える撮像素子。
【請求項１５】
請求項６に記載の感光性樹脂組成物を用いて得られるブラックマトリクス。
【請求項１６】
請求項１５に記載のブラックマトリクスを備える表示装置。
【請求項１７】
請求項１５に記載のブラックマトリクスを備える撮像素子。
【手続補正２】
【補正対象書類名】明細書
【補正対象項目名】００１２
【補正方法】変更
【補正の内容】
【００１２】
１．
以下一般式（１）で表される第一構造単位を有し、酸価が７０〜３００ｍｇＫＯＨ／ｇであり、二重結合当量が１００〜５００ｇ／ｍｏｌであるポリマーを含む、感光性樹脂組成物であって、
前記第一構造単位は、ＲＤが２以上の重合性炭素−炭素二重結合を含む基である構造単位を含み、
前記ポリマーは、さらに、以下一般式（ＮＢ）で表される環状炭化水素骨格を有する構造単位をポリマー中３０〜７０ｍｏｌ％含み、
前記ポリマーは、以下（Ｉ）または（ＩＩ）に該当する、感光性樹脂組成物。
（Ｉ）（ｉ）前記第一構造単位と、（ｉｉ）以下一般式（ＮＢ）で表される環状炭化水素骨格を有する構造単位と、のみを含む。
（ＩＩ）（ｉ）前記第一構造単位と、（ｉｉ）以下一般式（ＮＢ）で表される環状炭化水素骨格を有する構造単位と、（ｉｉｉ）以下式（ＭＡ）、下記一般式（ａ２−１）、（ａ２−２）および（ａ２−３）からなる群より選ばれる少なくともいずれかの構造単位と、のみを含む。
【化１】
2021120741.tif 000009
一般式（１）中、ＲＤは、重合性炭素−炭素二重結合を含む基である。
【化２】
2021120741.tif 000010
一般式（ＮＢ）中、
Ｒ１、Ｒ２、Ｒ３およびＲ４は、それぞれ独立して、水素原子または炭素数１〜３０の有機基であり、
ａ１は０、１または２である。
【化３】
2021120741.tif 000011
【化４】
2021120741.tif 000012
一般式（ａ２−１）および一般式（ａ２−２）中、Ｒ１４、Ｒ１５およびＲ１６は、それぞれ独立して炭素数１〜３０の有機基である。
２．
１．に記載の感光性樹脂組成物であって、
前記第一構造単位は、ＲＤが２以上の重合性炭素−炭素二重結合を含む基である構造単位と、ＲＤが１のみの重合性炭素−炭素二重結合を含む基である構造単位とを含む、感光性樹脂組成物。
３．
１．または２．に記載の感光性樹脂組成物であって、
前記ポリマーの全構造単位中の前記第一構造単位の比率が、１０〜４０ｍｏｌ％である、感光性樹脂組成物。
４．
１．〜３．のいずれか１つに記載の感光性樹脂組成物であって、
前記ポリマーの重量平均分子量が、６，０００〜２５，０００である、感光性樹脂組成物。
５．
１．〜４．のいずれか１つに記載の感光性樹脂組成物であって、
さらに着色剤を含む感光性樹脂組成物。
６．
１．〜４．のいずれか１つに記載の感光性樹脂組成物であって、
さらに遮光剤を含む感光性樹脂組成物。
７．
以下一般式（１）で表される第一構造単位を有し、酸価が７０〜３００ｍｇＫＯＨ／ｇであり、二重結合当量が１００〜５００ｇ／ｍｏｌであるポリマーであって、
前記第一構造単位は、ＲＤが２以上の重合性炭素−炭素二重結合を含む基である構造単位を含み、
さらに、以下一般式（ＮＢ）で表される環状炭化水素骨格を有する構造単位を３０〜７０ｍｏｌ％含み、
以下（Ｉ）または（ＩＩ）に該当するポリマー。
（Ｉ）（ｉ）前記第一構造単位と、（ｉｉ）以下一般式（ＮＢ）で表される環状炭化水素骨格を有する構造単位と、のみを含む。
（ＩＩ）（ｉ）前記第一構造単位と、（ｉｉ）以下一般式（ＮＢ）で表される環状炭化水素骨格を有する構造単位と、（ｉｉｉ）以下式（ＭＡ）、下記一般式（ａ２−１）、（ａ２−２）および（ａ２−３）からなる群より選ばれる少なくともいずれかの構造単位と、のみを含む。
【化５】
2021120741.tif 000013
一般式（１）中、ＲＤは、重合性炭素−炭素二重結合を含む基である。
【化６】
2021120741.tif 000014
一般式（ＮＢ）中、
Ｒ１、Ｒ２、Ｒ３およびＲ４は、それぞれ独立して、水素原子または炭素数１〜３０の有機基であり、
ａ１は０、１または２である。
【化７】
2021120741.tif 000015
【化８】
2021120741.tif 000016
一般式（ａ２−１）および一般式（ａ２−２）中、Ｒ１４、Ｒ１５およびＲ１６は、それぞれ独立して炭素数１〜３０の有機基である。
８．
７．に記載のポリマーであって、
前記第一構造単位は、ＲＤが２以上の重合性炭素−炭素二重結合を含む基である構造単位と、ＲＤが１のみの重合性炭素−炭素二重結合を含む基である構造単位とを含むポリマー。
９．
７．または８．に記載のポリマーであって、
全構造単位中の前記第一構造単位の比率が、１０〜４０ｍｏｌ％であるポリマー。
１０．
７．〜９．のいずれか１つに記載のポリマーであって、
重量平均分子量が、６，０００〜２５，０００であるポリマー。
１１．
１．〜６．のいずれか１つに記載の感光性樹脂組成物を用いて得られるパターン。
１２．
５．に記載の感光性樹脂組成物を用いて得られるカラーフィルタ。
１３．
１２．に記載のカラーフィルタを備える表示装置。
１４．
１２．に記載のカラーフィルタを備える撮像素子。
１５．
６．に記載の感光性樹脂組成物を用いて得られるブラックマトリクス。
１６．
１５．に記載のブラックマトリクスを備える表示装置。
１７．
１５．に記載のブラックマトリクスを備える撮像素子。
【手続補正３】
【補正対象書類名】明細書
【補正対象項目名】０１４８
【補正方法】変更
【補正の内容】
【０１４８】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
以下、参考形態の例を付記する。
１．
一般式（１）（前掲）で表される第一構造単位を有し、酸価が７０〜３００ｍｇＫＯＨ／ｇであり、二重結合当量が１００〜５００ｇ／ｍｏｌであるポリマーを含む、感光性樹脂組成物。
２．
１．に記載の感光性樹脂組成物であって、
前記第一構造単位は、ＲＤが２以上の重合性炭素−炭素二重結合を含む基である構造単位を含む、感光性樹脂組成物。
３．
１．または２．に記載の感光性樹脂組成物であって、
前記第一構造単位は、ＲＤが２以上の重合性炭素−炭素二重結合を含む基である構造単位と、ＲＤが１のみの重合性炭素−炭素二重結合を含む基である構造単位とを含む、感光性樹脂組成物。
４．
１．〜３．のいずれか１つに記載の感光性樹脂組成物であって、
前記ポリマーが、さらに、式（ＭＡ）（前掲）で表される第二構造単位を含む、感光性樹脂組成物。
５．
１．〜４．のいずれか１つに記載の感光性樹脂組成物であって、
前記ポリマーが、さらに、環状炭化水素骨格を有する構造単位を含む、感光性樹脂組成物。
６．
１．〜５．のいずれか１つに記載の感光性樹脂組成物であって、
前記ポリマーの全構造単位中の前記第一構造単位の比率が、１０〜４０ｍｏｌ％である、感光性樹脂組成物。
７．
１．〜６．のいずれか１つに記載の感光性樹脂組成物であって、
前記ポリマーの重量平均分子量が、６，０００〜２５，０００である、感光性樹脂組成物。
８．
１．〜７．のいずれか１つに記載の感光性樹脂組成物であって、
さらに着色剤を含む感光性樹脂組成物。
９．
１．〜７．のいずれか１つに記載の感光性樹脂組成物であって、
さらに遮光剤を含む感光性樹脂組成物。
１０．
一般式（１）（前掲）で表される第一構造単位を有し、酸価が７０〜３００ｍｇＫＯＨ／ｇであり、二重結合当量が１００〜５００ｇ／ｍｏｌであるポリマー。
１１．
１０．に記載のポリマーであって、
前記第一構造単位は、ＲＤが２以上の重合性炭素−炭素二重結合を含む基である構造単位を含むポリマー。
１２．
１０．または１１．に記載のポリマーであって、
前記第一構造単位は、ＲＤが２以上の重合性炭素−炭素二重結合を含む基である構造単位と、ＲＤが１のみの重合性炭素−炭素二重結合を含む基である構造単位とを含むポリマー。
１３．
１０．〜１２．のいずれか１つに記載の感光性樹脂組成物であって、
さらに、式（ＭＡ）（前掲）で表される第二構造単位を含むポリマー。
１４．
１０．〜１３．のいずれか１つに記載のポリマーであって、
さらに、環状炭化水素骨格を有する構造単位を含むポリマー。
１５．
１０．〜１４．のいずれか１つに記載のポリマーであって、
全構造単位中の前記第一構造単位の比率が、１０〜４０ｍｏｌ％であるポリマー。
１６．
１０．〜１５．のいずれか１つに記載のポリマーであって、
重量平均分子量が、６，０００〜２５，０００であるポリマー。
１７．
１．〜７．のいずれか１つに記載の感光性樹脂組成物を用いて得られるパターン。
１８．
８．に記載の感光性樹脂組成物を用いて得られるカラーフィルタ。
１９．
１８．に記載のカラーフィルタを備える表示装置。
２０．
１８．に記載のカラーフィルタを備える撮像素子。
２１．
９．に記載の感光性樹脂組成物を用いて得られるブラックマトリクス。
２２．
２１．に記載のブラックマトリクスを備える表示装置。
２３．
２１．に記載のブラックマトリクスを備える撮像素子。